(57)【要約】      （修正有）【課題】揺動体の製造が容易で、強度的にも優れ、軽量で、揺動動作が長く続き、発生音も良好であり、製造コストも安価で済む等の利点を有する起き上がり小法師を提供する。【解決手段】揺動体２と、この揺動体内部に収容させた音発生装置４とを有する起き上がり小法師において、揺動体２を、発泡スチロールにより一体的に形成し、その外周から中心部に向けて前記音発生装置を挿入収容させる収容凹部２１を設けたものとし、音発生装置４は、厚紙などの軽量の材料で構成した円筒状の共鳴体ケース４１と、この共鳴体ケースの内底部に取り付けたところの上面側に薄い金属板を取り付けて成る木製などの軽量の錘体と、この錘体の上面に所定間隔を隔てて周設された長さの異なる複数本の金属製の振動発音棒４４ａ〜４４ｆと、共鳴体ケース内に揺動可能に吊り下げられ、前記揺動体の揺動時にこれらの振動発音棒に当たって音を発生させる打撃手段４５とにより構成する。【選択図】図２
0003194789.tif 000002
【実用新案登録請求の範囲】
【請求項１】
揺動体と、この揺動体内部に収容させた音発生装置とを有する起き上がり小法師において、
前記揺動体を、発泡スチロールにより一体的に形成し、その外周から中心部に向けて前記音発生装置を挿入収容させる収容凹部を設けたものとし、
前記音発生装置は、例えば厚紙などの軽量の材料で構成した円筒状の共鳴体ケースと、この共鳴体ケースの内底部に取り付けたところの上面側に薄い金属板を取り付けて成る例えば木製などの軽量の錘体と、この錘体の上面に所定間隔を隔てて周設された長さの異なる複数本の金属製の振動発音棒と、前記共鳴体ケース内に揺動可能に吊り下げられ、前記揺動体の揺動時にこれらの振動発音棒に当たって音を発生させる打撃手段とにより構成すると共に、
前記揺動体の外面に、絵柄を表示した薄肉軽量の表装シートを貼付して成ることを特徴とする、前記の起き上がり小法師。
【請求項２】
前記複数本の振動発音棒は、その下端部を前記金属板を貫通させて前記錘体に打ち込まれていることを特徴とする、請求項１に記載の起き上がり小法師。
【請求項３】
前記錘体の上面に固定した前記金属板に、前記振動発音棒の振動伝達部材としての機能と、前記錘体の補助錘としての機能と、前記振動発音棒の安定保持部材としての機能とを併有させたことを特徴とする、請求項２に記載の起き上がり小法師。
【請求項４】
前記揺動体と共鳴体ケースの重量比は約２対１であることを特徴とする、請求項１に記載の起き上がり小法師。
【考案の詳細な説明】
【技術分野】
【０００１】
本考案は、通称起き上がり小法師と称される縁起物或は玩具に関するものである。
【背景技術】
【０００２】
従来、起き上がり小法師は、倒しても、倒しても自動的に起き上がることから、「七転八起」の精神を象徴するものとして、古くから広く世間に普及している。この従来公知の起き上がり小法師は、一般的に球体状を呈した通称オルゴール球と称される中空の揺動体の外側に絵や図形や模様を施し、内部に音発生装置を収容させており、揺動体を卓上に置いて軽く押してやって手を放すと、３６０°いずれの方向にも揺動し何回かの揺動動作の後、錘体の力で元位置に戻って静止するが、揺動した際に音発生装置がカランコロンという様々に音程の異なる音を発するものである。近年、この起き上がり小法師の揺動体に縫いぐるみをまとわせたものが、下記特許文献１や２に開示されている。
【０００３】
また、特許文献３には、上記のような起き上がり小法師の前記中空揺動体を、上部半球体と下部半球体の開口端部を互いに接着することにより作製し、その場合に、上部半球体としては真空成形で製造した肉薄のものを用い、下部半球体としてはブロー成形で製造した上部半球体より肉厚のものを用いることによって、前記中空揺動体の製造作業を行い易くすると同時に、音質等の改善を図ったものが開示されている。
【０００４】
更にまた、特許文献４には、製造工程で混入する破損縫製針の有無を検針機によって検査する必要のない起き上がり玩具が開示されている。即ち、玩具本体を軟質で軽量な合成樹脂によって形成し、その外皮を、接着剤層を有する綴じ片を貼り付けることによって作製することにより、針が混入することがなく、作業能率を低下させることもない起き上がり玩具が開示されている。
【０００５】
しかしながら、前記揺動体の製造が容易で、強度的にも優れ、軽量で、揺動動作が長く続き、発生音も良好であり、製造コストも安価で済む、等々の多くの利点を併せ持った起き上がり小法師はこれまでに提供されていない。
【先行技術文献】
【特許文献】
【０００６】
【特許文献１】実公平３−２４２２３号公報
【特許文献２】実用新案登録第３１５３０８２号公報
【特許文献３】実用新案登録第３１５８９０２号公報
【特許文献４】特開２００３−２６０２７５号公報
【考案の概要】
【考案が解決しようとする課題】
【０００７】
そこで、本考案の目的は、前記揺動体の製造が容易で、強度的にも優れ、軽量で、揺動動作が長く続き、発生音も良好であり、製造コストも安価で済む、等々の多くの利点を有する起き上がり小法師を提供せんとするにある。
【課題を解決するための手段】
【０００８】
上述した目的を達成するために本考案に係る起き上がり小法師は、揺動体と、この揺動体内部に収容させた音発生装置とを有する起き上がり小法師において、前記揺動体を、発泡スチロールにより一体的に形成し、その外周から中心部に向けて前記音発生装置を挿入収容させる収容凹部を設けたものとし、前記音発生装置は、例えば厚紙などの軽量の材料で構成した円筒状の共鳴体ケースと、この共鳴体ケースの内底部に取り付けたところの上面側に薄い金属板を取り付けて成る例えば木製などの軽量の錘体と、この錘体の上面に所定間隔を隔てて周設された長さの異なる複数本の金属製の振動発音棒と、前記共鳴体ケース内に揺動可能に吊り下げられ、前記揺動体の揺動時にこれらの振動発音棒に当たって音を発生させる打撃手段とにより構成すると共に、前記揺動体の外面に、絵柄を表示した薄肉軽量の表装シートを貼付して成ることを特徴とする。
【０００９】
その場合、本考案においては、前記音発生装置の前記複数本の振動発音棒の下端部を、前記錘体の少なくとも一部を構成する前記木材の上面に固定した金属板を貫通させて前記木材に打ち込むように構成することが推奨される。
【００１０】
本考案はさらに、前記木材の上面に固定した前記金属板に、前記振動発音棒の振動伝達部材としての機能と、前記錘体の補助錘としての機能と、前記振動発音棒の安定保持部材としての機能とを併有させるように構成することが推奨される。
【００１１】
そして、本発明に係る揺動体と共鳴体ケースの重量比は、約２対１であることを特徴とする。
【考案の効果】
【００１２】
本考案は上記のように、前記揺動体を発泡スチロールにより一体的に形成したため、軽量で、強度的にも優れ、へこむようなことがなく、球形に成形することも容易で、製造コストも安くて済むものである。また、前記音発生装置の共鳴体ケースを厚紙製の筒体で構成した場合には、共鳴効果に優れ、振動発音棒の振動を効率よく大きな音に変換できる。また、前記揺動体が発泡スチロール製で軽量であるため、前記錘体も軽量のもので済み、そのための錘体を木材で構成することが可能となり、これによって、起き上がり小法師全体の重量を大幅に軽量化でき、揺動動作の持続時間も長くできる。更にまた、前記揺動体の外面に表装シートを貼付し、これに描いた絵柄により起き上がり小法師のキャラクターを表示するようにしたため、縫いぐるみ等を纏わせるよりも格段に簡易かつ安価に製造でき、揺動動作も、柔軟で厚みのある布製の縫いぐるみで覆うよりも円滑かつ長時間継続されるようになる。更にまた、本考案においては、前記音発生装置の前記複数本の振動発音棒の下端部を、前記錘体の少なくとも一部を構成する前記木材の上面に固定した金属板を貫通させて前記木材に打ち込んで固定するようにしたことによって、複数本の振動発音棒の振動が前記金属板を介して前記木材や共鳴体ケースにロスなく伝達されて、音の振動伝達特性が向上し、共鳴体ケースを効率よく共鳴させることができ、これにより、前記金属板に、前記振動発音棒の振動伝達部材としての機能と、前記錘体の補助錘としての機能と、前記振動発音棒の安定保持部材としての機能とを併せ持たせることができる。
【図面の簡単な説明】
【００１３】
【図１】本考案に係る起き上がり小法師の一実施例の正面図である。
【図２】図１に示した起き上がり小法師（表装シートを除く）の分解斜視図である。
【図３】図１に示した起き上がり小法師の縦断面図である。
【図４】図１に示した起き上がり小法師の音発生装置の振動発音棒の取付状態を示す斜視図（ａ）及びその縦断面図（ｂ）である。
【図５】本考案に係る起き上がり小法師の揺動状態を示す説明図である。
【考案を実施するための形態】
【００１４】
以下、本考案に係る起き上がり小法師の一実施例を図面に基いて具体的に説明する。
【実施例】
【００１５】
図１〜図４において、この実施例に係る起き上がり小法師１は、揺動体２と、その内部に収容される音発生装置４と、前記揺動体２の外面に貼付された例えば紙製の薄肉軽量の表装シート６ａ〜６ｄとから構成されている。図１に示した例において、表装シート６ａ〜６ｄの表面には、全体として相撲取りを表す絵図が描かれ、この表装シートは、顔面部を表した表装シート６ａと、ちょん髷部を表した表装シート６ｂと、胴部を表した表装シート６ｃと、接地部を形成する表装シート６ｄとから構成されている。ただし、これらの表装シートの材料や枚数、並びに形状、絵図等は、このものに限定されるものではない。表装シートは、例えば薄い布地であってもよい。
【００１６】
本考案における前記揺動体２は、発泡スチロールにより一体的に成形さており、前記音発生装置４を収容するための収容凹部２１が外周から中心部に向けて同心状に形成されている以外は、全体として無垢状のものである。収容凹部２１は、揺動体２の中心から外周に向けて垂線を垂らした際にその垂線と軸心を共通にして設けられている。揺動体２は全体として球体であるが、完全な真球体である必要はなく、テーブル等の上に載置時に揺動可能とするために、下半部の底部側の形状を緩やかな湾曲形状に形成すれば足り、その上半部は、起き上がり小法師が表現するキャラクターに応じて、所望の形状に形成することが可能であって、図示した形状に限定されるものではない。
【００１７】
発泡スチロール製の揺動体２の製造は、揺動体２の形状に対応する金型内に、炭化水素ガスを吸収させた細粒状ポリスチレンビーズを封入し、ここに高温蒸気を導入して軟化、発泡させる等の公知の製法により製造できる。
【００１８】
揺動体２に設けた収容凹部２１の口径は、音発生装置４の共鳴体ケース４１の外径と同一に形成され、共鳴体ケース４１の外周面と収容凹部２１の内周面とがピッタリと接触した状態で嵌まり合い、前記振動発音棒４４ａ〜４４ｆ及び共鳴体ケース４１の振動が揺動体２にロスなく伝動されるようにする。
【００１９】
前記音発生装置４は、図２〜図４に示す如く、厚紙製の上部に蓋体４２を被せ下部開放の丸筒状を呈した共鳴体ケース４１と、この共鳴体ケース４１の底部に嵌着されその上面側に金属板４３を取り付けて成る錘体５と、共鳴体ケース４１内において前記錘体５の上に所定間隔を隔てて周設された長さの異なる複数本の振動発音棒４４ａ〜４４ｆと、前記共鳴体ケース４１内に前記蓋体４２から吊り下げられ、起き上がり小法師１の揺動時にこれらの振動発音棒４４ａ〜４４ｆに揺動体２の揺動方向によりランダムに当たる打撃手段４５とで構成されている。
【００２０】
前記共鳴体ケース４１は、厚紙で構成することにより、その共鳴効果と軽量化が図られている。また、錘体５も、揺動体２が軽量であるため、この揺動体２の搖動時における揺動動作の繰り返しを容易とする必要のあることから、木材５１として軽量化が図られている。
【００２１】
前記音発生装置４の前記長さの異なる複数本の振動発音棒４４ａ〜４４ｆは、共鳴体ケース４１の内周に沿って輪状に配列してある。図４に詳しく示すように、これらの振動発音棒４４ａ〜４４ｆの下端部４４ａ−１〜４４ｆ−１は釘状に尖らせ、前記錘体５の少なくとも一部を構成する前記木材５１の上面に固定した金属板４３を貫通させて前記木材５１に打ち込むように構成されている。即ち、図示した実施例において、金属板４３には、パンチ等によって３つの爪孔４３ｇ、４３ｈ、４３ｉが形成され、下面側へ向けて複数の固定爪４３ｇ−１、４３ｇ−２等（図４では、爪孔４３ｇのものだけを示す）が突出するよう形成されており、金属板４３を木材５１から成る錘体５の上面に打ちつけると、これらの固定爪４３ｇ−１、４３ｇ−２等によって金属板４３が木材５１の上面に固着されるようになっている。金属板４３には、更に、振動発音棒貫通孔４３ａ〜４３ｆが明けられ、これらの孔に前記複数本の振動発音棒４４ａ〜４４ｆが貫通する状態で、各振動発音棒４４ａ〜４４ｆの先端が前記木材５１に打ち込まれている。
【００２２】
このように、本考案においては、前記複数本の振動発音棒４４ａ〜４４ｆの下端部を、前記錘体５を構成する木材５１の上面に固定した金属板４３を貫通させて前記木材に打ち込んで固定することによって、これら振動発音棒の振動が前記金属板４３や木材５１を介して共鳴体ケース４１にロスなく伝達され、共鳴体ケース４１を効率よく共鳴させることができ、更には、その振動を発泡スチロール製の揺動体２に伝達させて、起き上がり小法師１自体を大きく鳴り響かせることが可能となる。この場合、木材５１の上面に固定した前記金属板４３は、前記振動発音棒４４ａ〜４４ｆの振動伝達部材としての機能と、前記錘体５の補助錘としての機能と、前記振動発音棒４４ａ〜４４ｆの安定保持部材としての機能とを併せ持つものである。金属板４３が錘体５の補助錘として作用する場合、金属板４３は木材５１の上面に固着されているため、木材５１だけの場合に比べて、錘体５の重心位置を若干上方へ変移させ、起き上がり小法師１の揺動時における揺動動作を助長させ、揺動継続時間を長引かせる効果がある。なお、金属板４３の木材５１の上面への固定は接着剤によっても可能であるが、振動発音棒の振動伝達効果の点では、図示した実施例の如く、金属板４３自体に設けた前記複数の固定爪４３ｇ−１、４３ｇ−２による方が優れている。
【００２３】
次に、長さの異なる前記の複数本の振動発音棒４４ａ〜４４ｆにぶつかって音を発生させる打撃手段４５は、振動発音棒４４ａ〜４４ｆを叩く小さな金属円板から成る打撃槌部４５ａと、これを吊り下げる吊下げ部材４５ｂと、この吊下げ部材４５ｂを、共鳴体ケース４１の蓋体４２の下面中央部から吊り下げる吊り紐４５ｃと、この吊り紐４５ｃを蓋体４２の下面に取り付ける接着テープ４５ｄとから構成されている。図示した実施例では、吊下げ部材４５ｂは例えば針金であり、その下端は、打撃槌部４５ａに明けた２つの孔に挿通して折り曲げられ、その上端近くは、折り曲げられてその折り曲げ部を前記吊り紐４５ｃに引っ掛けて、３６０°任意の方向へ揺動可能に吊り下げるようにする。
【００２４】
上記の如き音発生装置４を、揺動体２の前記収容凹部２１内に収納した後、所望の絵柄等を描いた表装シート６ａ〜６ｄを揺動体２の表面に貼り付ける。表装シート６ａ〜６ｄとしては、予め片面に接着剤が塗布された粘着紙を用いることが作業効率上推奨されるが、千代紙その他を糊付けするようにしてもよく、その種類は特に限定されない。以上により、図１に示した起き上がり小法師１が完成する。
【００２５】
以上のように構成した起き上がり子法師１の各部材の寸法と重量は以下の通りである。
まず、揺動体２の外径寸法は１００ｍｍであり、その重量は約１２ｇである。この揺動体２内部に設けた収容凹部２１の内径寸法は深さが６６ｍｍ、内径が２７ｍｍである。この収容凹部２１内に収容される共鳴体ケース４１の外形寸法は、その材厚が１．５ｍｍ、高さが６５．５ｍｍ前後、外径が２７ｍｍである。共鳴体ケース４１の内底部に取り付けられる錘体５は、木製のもので、その外形寸法は、外径が２６ｍｍ、高さが９ｍｍであり、その重さが約３ｇである。この錘体５の上面に約０．８ｇの金属板４３が取り付けられ、この金属板４３の外周に立設されている振動発音棒の長さは、４０ｍｍ〜６０ｍｍのものであり、その下端部は、金属板４３を貫通して錘体５に打ち込まれている。また、打撃手段４５の吊下げ部材４５ｂの長さは、４４ｍｍであり、錘体５を取り付けた共鳴体ケース４１の重さは、全体で６ｇである。したがって、本実施例においては、揺動体２と共鳴体ケース４１の重量比は、２対１であり、この重量比と共鳴体ケース４１の大きさで、揺動体２は、その静止位置で共鳴体ケース４１が直立状態となり、この静止位置から３６０度いずれかの方向へ手で押した後手を離すと、自然にほど良い回数揺動し、音声を発生しながら自然に揺動幅を減少させて元の静止位置に戻るものである。
【００２６】
上記の如く構成された起き上がり小法師１を、図５に示すように机やテーブルの上に置き、３６０°いずれかの方向（図５において、例えば右方向）に押して手を離すと、起き上がり小法師１は押された方向へ揺動した後、錘体５により元位置に戻り、更にその反動により元位置を通過して反対側（図５において、左方向）へ揺動し、以下同様の動作を数回繰り返した後、定位置で停止する。このように起き上がり小法師１が揺動すると、音発生装置４の打撃槌部４５ａが揺動体２の揺動方向によりランダムに振動発音棒４４ａ〜４４ｆのどれかに当って（図５において、右方向へ揺動したときは打撃槌部４５ａが例えば振動発音棒４４ｄに当たり、左方向へ揺動したときは打撃槌部４５ａが例えば振動発音棒４４ａに当たって）、カラン、コロンという音を発生する。その際、本考案にあっては、前記共鳴体ケース４１を硬質の紙筒で構成したり、前記振動発音棒４４ａ〜４４ｆの下端部を、前記木材５１の上面に固定した金属板４３を貫通させて前記木材に打ち込んで固定したりすることによって、音の振動伝達特性を向上させてあるため、共鳴体ケース４１を効率よく共鳴させることができ、これにより、音質の良い音を大きく響かせることができるものである。
【００２７】
本考案に係る起き上がり小法師１は、上記のように、前記揺動体２を発泡スチロールにより一体的に形成したため、軽量で、球形に成形することも容易で、製造コストも安くて済むものである。また、前記音発生装置４の共鳴体ケース４１を厚紙製の筒体で構成したため、プラスチック製のものより共鳴効果に優れ、振動発音棒４４ａ〜４４ｆの振動を効率よく大きな音に変換できる。また、前記揺動体２が発泡スチロール製で軽量であるため、前記錘体５も軽量のもので済み、そのための錘体を木材５１で構成することが可能となり、これによって、起き上がり小法師全体の重量を大幅に軽量化でき、揺動動作の持続時間も長くできる。更にまた、前記揺動体２の外面に表装シート６ａ〜６ｄを貼付し、これに描いた絵柄により起き上がり小法師のキャラクターを表示するようにしたため、縫いぐるみ等を纏わせるよりも格段に簡易かつ安価に製造でき、揺動動作も、柔軟で厚みのある布製の縫いぐるみで覆うよりも円滑かつ長時間継続されるようになる。更にまた、本考案においては、前記音発生装置４の前記複数本の振動発音棒４４ａ〜４４ｆの下端部を、前記錘体５の少なくとも一部を構成する前記木材５１の上面に固定した金属板４３を貫通させて前記木材に打ち込んで固定するようにしたことによって、複数本の振動発音棒の振動が前記金属板を介して前記木材や共鳴体ケース４１にロスなく伝達されて、音の振動伝達特性が向上し、共鳴体ケース４１を効率よく共鳴させることができ、これにより、前記金属板４３に、前記振動発音棒４４ａ〜４４ｆの振動伝達部材としての機能と、前記錘体５の補助錘としての機能と、前記振動発音棒４４ａ〜４４ｆの安定保持部材としての機能とを併せ持たせることができる。
【産業上の利用可能性】
【００２８】
本考案は以上のように構成したので、揺動体の製造が容易で、強度的にも優れ、軽量で、揺動動作が長く続き、発生音も良好であり、製造コストも安価で済む、等々の多くの利点を有する起き上がり小法師を提供し得る。
【符号の説明】
【００２９】
１    起き上がり小法師
２    揺動体
２１  収容凹部
４    音発生装置
４１  共鳴体ケース
４２  蓋体
４３  金属板
４３ａ〜４３ｆ  振動発音棒貫通孔
４３ｇ〜４３ｉ  爪孔
４３ｇ−１、４３ｇ−２  固定爪
４４ａ〜４４ｆ  振動発音棒
４４ａ−１〜４４ｆ−１  下端部
４５    打撃手段
４５ａ  打撃槌部
４５ｂ  吊下げ部材
４５ｃ  吊り紐
４５ｄ  接着テープ
５    錘体
５１  木材
【図１】
0003194789.tif 000003
【図２】
0003194789.tif 000004
【図３】
0003194789.tif 000005
【図４】
0003194789.tif 000006
【図５】
0003194789.tif 000007